【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】
ファイル名に対応させてファイルの格納位置を記憶管理し、ファイル名の指定でファイルに対するアクセスを行なうファイル管理装置において、
タイムコードが付されたデータを複数個含むファイルを記録するファイル記憶手段と、
前記タイムコードが連続しているデータの集合をセグメントとし、当該セグメント名に対応させてセグメントの前記ファイル記憶手段における格納位置を示す位置情報を、ファイルごとにファイル先頭からセグメントの順と同順に記憶する位置情報記憶手段と、
セグメント名の指定によりなされるセグメントに対してのアクセス要求を受付けるアクセス要求受付け手段と、
前記位置情報記憶手段から、前記指定されたセグメント名に対応する位置情報を読み出す位置情報読み出し手段と、
前記読み出した位置情報に基づいて、前記ファイル記憶手段に記憶されているセグメントに対してアクセスをするセグメントアクセス手段と、
セグメント名の取得要求を受付ける受付け手段と、
前記セグメント名の取得要求を受付けた後、前記位置情報記憶手段を参照して、セグメントが属するファイルのファイル名とファイル先頭から順に割り当てられたセグメントの順序を示す文字列とを少なくとも含むセグメント名の一覧を外部へ出力するセグメント名出力手段とを備え、
前記位置情報は、セグメントが属するファイルの先頭の格納位置を示すアドレスと、ファイル先頭からセグメント先頭までのサイズを示すオフセットアドレス及びファイル先頭からセグメント末尾までのサイズを示すオフセットアドレス、又はファイル先頭からセグメントの先頭までのサイズを示すオフセットアドレス及びセグメントのサイズとを含み、
前記位置情報記憶手段は、セグメントが属するファイルのファイル名及びファイル先頭から順に割り当てられたセグメントの番号と、位置情報との対応を定めるテーブルを記憶し、
前記位置情報読み出し手段は、セグメント名として指定されたファイル名及びファイル先頭から順に割り当てられたセグメントの順序を示す文字列とから、当該対応する位置情報を前記テーブルから読み出す
ことを特徴とするファイル管理装置。
【請求項２】
ファイル名に対応させてファイルの格納位置を記憶管理し、ファイル名の指定でファイルに対するアクセスを行なうファイル管理装置において、
タイムコードが付されたデータを複数個含むファイルを記録するファイル記憶手段と、
ファイル名に対応させてファイルの前記ファイル記憶手段における格納位置を示す位置情報を記憶する第１の位置情報記憶手段と、
前記タイムコードが連続しているデータの集合をセグメントとし、当該セグメント名に対応させてセグメントの前記ファイル記憶手段における格納位置を示す位置情報を記憶する第２の位置情報記憶手段と、
アクセス対象名の指定によりなされるセグメント又はファイルに対してのアクセス要求を受付けるアクセス要求受付け手段と、
前記アクセス対象名がセグメント名であるかファイル名であるかを判定する判定手段と、
前記判定手段による判定結果に従って、前記第１の位置情報記憶手段又は前記第２の位置情報記憶手段から、対応する位置情報を読み出す位置情報読み出し手段と、
前記読み出した位置情報に基づいて、前記ファイル記憶手段に記憶されているセグメント又はファイルに対してアクセスをするアクセス手段とを備え、
前記判定手段は、前記アクセス対象名が現に存在するファイルの名前とセグメントの順序を示す文字列とを含む場合に、当該アクセス対象名をセグメント名と判定する
ことを特徴とするファイル管理装置。
【請求項３】
ファイル名に対応させてファイルの格納位置を記憶管理し、ファイル名の指定でファイルに対するアクセスを行なうファイル管理装置において、
タイムコードが付されたビデオデータからなるファイルを取得してファイル記憶手段に格納するファイル取得手段と、
前記取得したファイルを記憶するファイル記憶手段と、
タイムコードが連続する部分をセグメントとして扱い、前記セグメントの前記ファイル記憶手段における格納位置を示す位置情報を取得して位置情報記憶手段に格納する位置情報取得手段と、
前記取得した位置情報を記憶する位置情報記憶手段と、
セグメント単位でのアクセス要求を受付けるセグメントアクセス要求受付け手段と、
前記位置情報記憶手段から、前記指定されたセグメントに対応する位置情報を読み出す位置情報読み出し手段と、
前記読み出した位置情報に基づいて、前記ファイル記憶手段に記憶されているセグメントに対してアクセスをするセグメントアクセス手段と
を備えたことを特徴とするファイル管理装置。
【請求項４】
ファイル名に対応させてファイルの格納位置を記憶管理し、ファイル名の指定でファイルに対するアクセスを行なうファイル管理装置において、
タイムコードが付されたビデオデータからなるファイルを取得してファイル記憶手段に格納するファイル取得手段と、
前記取得したファイルを記憶するファイル記憶手段と、
前記ビデオデータにおけるタイムコードが連続する部分をセグメントとして特定するセグメント特定手段と、
前記特定したセグメントの前記ファイル記憶手段における格納位置を示す位置情報を作成して位置情報記憶手段に書き込む位置情報作成手段と、
前記作成した位置情報を記憶する位置情報記憶手段と、
セグメント単位でのアクセス要求を受付けるセグメントアクセス要求受付け手段と、
前記位置情報記憶手段から、前記指定されたセグメントに対応する位置情報を読み出す位置情報読み出し手段と、
前記読み出した位置情報に基づいて、前記ファイル記憶手段に記憶されているセグメントに対してアクセスをするセグメントアクセス手段と
を備えたことを特徴とするファイル管理装置。
【請求項５】
ファイル名に対応させてファイルの格納位置を記憶管理し、ファイル名の指定でファイルに対するアクセスを行なうファイル管理装置において、
前記ファイルは、タイムコードをもつビデオデータを含み、
前記ファイル管理装置は、
論理的なまとまりのある単位であるセグメントを１個又は複数個含むファイルを記憶するファイル記憶手段と、
セグメントの前記ファイル記憶手段における格納位置を示す位置情報を記憶する位置情報記憶手段と、
１つのファイルに含まれるすべてのセグメントの集まりであるセグメント集合の名前であって、当該ファイルのファイル名とセグメント集合名であることを示す文字列とを含むセグメント集合名の指定によりなされるセグメント集合に対してのアクセス要求を受付けるアクセス要求受付け手段と、
前記指定されたセグメント集合名に対応するセグメント集合の属するファイルを特定し、前記位置情報記憶手段から当該ファイルに属するすべてのセグメントの位置情報をセグメント集合の位置情報として読み出す位置情報読み出し手段と、
前記読み出した位置情報に基づいて、前記ファイル記憶手段に記憶されているセグメント集合に対してアクセスをするセグメント集合アクセス手段と、
前記ビデオデータにおけるタイムコードが連続する部分をセグメントとして特定するセグメント特定手段と、
前記特定したセグメントの前記ファイル記憶手段における格納位置を示す位置情報を作成して位置情報記憶手段に書き込む位置情報作成手段と
を備えたことを特徴とするファイル管理装置。
【請求項６】
ファイル名に対応させてファイルの格納位置を記憶管理し、ファイル名の指定でファイルに対するアクセスを行なうファイル管理装置において、
タイムコードが付されたデータを複数個含むファイルを記録するファイル記憶手段と、
前記タイムコードが連続しているデータの集合をセグメントとし、ファイル内のセグメント以外の空き領域の格納位置を示す位置情報を記憶する位置情報記憶手段と、
追記先ファイルを指定した新たなセグメントの追記要求を受付ける追記要求受付け手段と、
新たなセグメントを取得するセグメント取得手段と、
前記位置情報記憶手段から、追記先ファイルの空き領域の位置情報を読み出す位置情報読み出し手段と、
前記読み出した空き領域の位置情報で示される格納位置に、前記新たなセグメントを書き込むセグメント追記手段と、
を備えたことを特徴とするファイル管理装置。
【請求項７】
ファイル名に対応させてファイルの格納位置を記憶管理し、ファイル名の指定でファイルに対するアクセスを行なうファイル管理装置において、
タイムコードが付されたデータを複数個含むファイルを記録するファイル記憶手段と、
前記タイムコードが連続しているデータの集合をセグメントとし、ファイル内のセグメントの格納位置、及びセグメント以外の空き領域の格納位置を示す位置情報を記憶する位置情報記憶手段と、
追記先ファイルと追記するセグメント集合が含まれるファイルを指定したセグメント集合の追記要求を受付ける追記要求受付け手段と、
前記位置情報記憶手段から、追記先のファイルの空き領域の位置情報を読み出す位置情報読み出し手段と、
前記ファイル記憶手段から、前記位置情報を参照して、追記元ファイルに含まれるすべてのセグメントをセグメント集合として取り出すセグメント集合抽出手段と、
前記読み出した空き領域の位置情報で示される格納位置に、前記取出したセグメント集合を書き込むセグメント集合追記手段と
を備えたことを特徴とするファイル管理装置。
【請求項８】
ファイル名に対応させてファイルの格納位置を記憶管理し、ファイル名の指定でファイルに対するアクセスを行なうファイル管理装置において、
タイムコードが付されたデータを複数個含むファイルを記録するファイル記憶手段と、
前記タイムコードが連続しているデータの集合をセグメントとし、ファイル内のセグメント以外の空き領域の格納位置を示す位置情報を記憶する位置情報記憶手段と、
追記先ファイルと追記元ファイルを指定したファイルの追記要求を受付ける追記要求受付け手段と、
前記位置情報記憶手段から、追記先ファイルの空き領域の位置情報を読み出す位置情報読み出し手段と、
前記読み出した空き領域の位置情報で示される格納位置に、追記元ファイルを書き込むファイル追記手段と
を備えたことを特徴とするファイル管理装置。
【請求項９】
ファイル名に対応させてファイルの格納位置を記憶管理し、ファイル名の指定でファイルに対するアクセスを行なうファイル管理装置において、
前記ファイルは、タイムコードをもつビデオデータを含み、
前記ファイル管理装置は、
論理的なまとまりのある単位であるセグメントを１個又は複数個含むファイルを記憶するファイル記憶手段と、
セグメントの前記ファイル記憶手段における格納位置を示す位置情報を記憶する位置情報記憶手段と、
ファイル名と所望の条件の指定により、指定ファイル名のファイル中のセグメントのうち、指定条件を満たす１以上のセグメントの集まりであるセグメント部分集合に対してのアクセス要求を受付けるアクセス要求受付け手段と、
前記位置情報記憶手段から指定されたファイル名ファイルに属し、かつ指定条件を具備するすべてのセグメントの位置情報をセグメント部分集合の位置情報として読み出す位置情報読み出し手段と、
前記読み出した位置情報に基づいて、前記ファイル記憶手段に記憶されているセグメント部分集合に対してアクセスをするセグメント部分集合アクセス手段と、
前記ビデオデータにおけるタイムコードが連続する部分をセグメントとして特定するセグメント特定手段と、
前記特定したセグメントの前記ファイル記憶手段における格納位置を示す位置情報を作成して位置情報記憶手段に書き込む位置情報作成手段と
を備えたことを特徴とするファイル管理装置。
【請求項１０】
ファイル名に対応させてファイルの格納位置を記憶管理し、ファイル名の指定でファイルに対するアクセスを行なうファイル管理方法において、
ファイル記憶手段に格納されたタイムコードが付された複数個のデータのうち、前記タイムコードが連続しているデータの集合であるセグメントの名前の指定によりなされるセグメントに対してのアクセス要求を受付けるアクセス要求受付けステップと、
セグメント名に対応させてセグメントの前記ファイル記憶手段における格納位置を示す位置情報を記憶する位置情報記憶手段から、前記指定されたセグメント名に対応する位置情報を読み出す位置情報読み出しステップと、
前記読み出した位置情報に基づいて、前記ファイル記憶手段に記憶されているセグメントに対してアクセスをするセグメントアクセスステップと
を含むことを特徴とするファイル管理方法。
【請求項１１】
ファイル名に対応させてファイルの格納位置を記憶管理し、ファイル名の指定でファイルに対するアクセスを行なうファイル管理方法において、
タイムコードが付されたビデオデータからなるファイルを取得してファイル記憶手段に格納するファイル取得ステップと、
タイムコードが連続する部分をセグメントとして扱い、前記セグメントの前記ファイル記憶手段における格納位置を示す位置情報を取得して位置情報記憶手段に格納する位置情報取得ステップと、
セグメント単位でのアクセス要求を受付けるセグメントアクセス要求受付けステップと、
前記位置情報記憶手段から、前記指定されたセグメントに対応する位置情報を読み出す位置情報読み出しステップと、
前記読み出した位置情報に基づいて、前記ファイル記憶手段に記憶されているセグメントに対してアクセスをするセグメントアクセスステップと
を含むことを特徴とするファイル管理方法。
【請求項１２】
ファイル名に対応させてファイルの格納位置を記憶管理し、ファイル名の指定でファイルに対するアクセスを行なうファイル管理方法において、
タイムコードが付されたビデオデータからなるファイルを取得してファイル記憶手段に格納するファイル取得ステップと、
前記ビデオデータにおけるタイムコードが連続する部分をセグメントとして特定するセグメント特定ステップと、
前記特定したセグメントの前記ファイル記憶手段における格納位置を示す位置情報を作成して位置情報記憶手段に書き込む位置情報作成ステップと、
セグメント単位でのアクセス要求を受付けるセグメントアクセス要求受付けステップと、
前記位置情報記憶手段から、前記指定されたセグメントに対応する位置情報を読み出す位置情報読み出しステップと、
前記読み出した位置情報に基づいて、前記ファイル記憶手段に記憶されているセグメントに対してアクセスをするセグメントアクセスステップと
を含むことを特徴とするファイル管理方法。
【請求項１３】
ファイル名に対応させてファイルの格納位置を記憶管理し、ファイル名の指定でファイルに対するアクセスを行なうファイル管理方法において、
ファイル記憶手段に記憶された１つのファイルに含まれる論理的なまとまりの単位であるセグメントをすべて集めたセグメント集合の名前であって、当該ファイルのファイル名とセグメント集合名であることを示す文字列とを含むセグメント集合名の指定によりなされるセグメント集合に対してのアクセス要求を受付けるアクセス要求受付けステップと、
前記指定されたセグメント集合名に対応するセグメント集合の属するファイルを特定し、セグメントの前記ファイル記憶手段における格納位置を示す位置情報を記憶する位置情報記憶手段から当該ファイルに属するすべてのセグメントの位置情報をセグメント集合の位置情報として読み出す位置情報読み出しステップと、
前記読み出した位置情報に基づいて、前記ファイル記憶手段に記憶されているセグメント集合に対してアクセスをするセグメント集合アクセスステップと
を含むことを特徴とするファイル管理方法。
【請求項１４】
ファイル名に対応させてファイルの格納位置を記憶管理し、ファイル名の指定でファイルに対するアクセスを行なうファイル管理方法において、
ファイル名と所望の条件の指定により、ファイル記憶手段内の指定ファイル名のファイルに含まれる論理的なまとまりのある単位であるセグメントのうち、指定条件を満たす１以上のセグメントの集まりであるセグメント部分集合に対してのアクセス要求を受付けるアクセス要求受付けステップと、
セグメントの前記ファイル記憶手段における格納位置を示す位置情報を記憶している位置情報記憶手段からファイル名で指定されるファイルに属し、かつ前記所望する条件を具備するすべてのセグメントの位置情報をセグメント部分集合の位置情報として読み出す位置情報読み出しステップと、
前記読み出した位置情報に基づいて、前記ファイル記憶手段に記憶されているセグメント部分集合に対してアクセスをするセグメント部分集合アクセスステップと
を含むことを特徴とするファイル管理方法。
【請求項１５】
ファイル名に対応させてファイルの格納位置を記憶管理し、ファイル名の指定でファイルに対するアクセスを行なうファイル管理プログラムが記録されたコンピュータ読み取り可能な記録媒体であって、前記プログラムは、
ファイル記憶手段に格納されたタイムコードが付された複数個のデータのうち、前記タイムコードが連続しているデータの集合であるセグメントの名前の指定によりなされるセグメントに対してのアクセス要求を受付けるアクセス要求受付けステップと、
セグメント名に対応させてセグメントの前記ファイル記憶手段における格納位置を示す位置情報を記憶する位置情報記憶手段から、前記指定されたセグメント名に対応する位置情報を読み出す位置情報読み出しステップと、
前記読み出した位置情報に基づいて、前記ファイル記憶手段に記憶されているセグメントに対してアクセスをするセグメントアクセスステップと
を含むことを特徴とするコンピュータ読み取り可能な記録媒体。
【請求項１６】
ファイル名に対応させてファイルの格納位置を記憶管理し、ファイル名の指定でファイルに対するアクセスを行なうファイル管理プログラムが記録されたコンピュータ読み取り可能な記録媒体であって、前記プログラムは、
タイムコードが付されたビデオデータからなるファイルを取得してファイル記憶手段に格納するファイル取得ステップと、
タイムコードが連続する部分をセグメントとして扱い、前記セグメントの前記ファイル記憶手段における格納位置を示す位置情報を取得して位置情報記憶手段に格納する位置情報取得ステップと、
セグメント単位でのアクセス要求を受付けるセグメントアクセス要求受付けステップと、
前記位置情報記憶手段から、前記指定されたセグメントに対応する位置情報を読み出す位置情報読み出しステップと、
前記読み出した位置情報に基づいて、前記ファイル記憶手段に記憶されているセグメントに対してアクセスをするセグメントアクセスステップ
とを含むことを特徴とするコンピュータ読み取り可能な記録媒体。
【請求項１７】
ファイル名に対応させてファイルの格納位置を記憶管理し、ファイル名の指定でファイルに対するアクセスを行なうファイル管理プログラムが記録されたコンピュータ読み取り可能な記録媒体であって、前記プログラムは、
タイムコードが付されたビデオデータからなるファイルを取得してファイル記憶手段に格納するファイル取得ステップと、
前記ビデオデータにおけるタイムコードが連続する部分をセグメントと特定するセグメント特定ステップと、
前記特定したセグメントの前記ファイル記憶手段における格納位置を示す位置情報を作成して位置情報記憶手段に書き込む位置情報作成ステップと、
セグメント単位でのアクセス要求を受付けるセグメントアクセス要求受付けステップと、
前記位置情報記憶手段から、前記指定されたセグメントに対応する位置情報を読み出す位置情報読み出しステップと、
前記読み出した位置情報に基づいて、前記ファイル記憶手段に記憶されているセグメントに対してアクセスをするセグメントアクセスステップと
を含むことを特徴とするコンピュータ読み取り可能な記録媒体。
【請求項１８】
ファイル名に対応させてファイルの格納位置を記憶管理し、ファイル名の指定でファイルに対するアクセスを行なうファイル管理プログラムが記録されたコンピュータ読み取り可能な記録媒体であって、前記プログラムは、
ファイル記憶手段に記憶された１つのファイルに含まれる論理的なまとまりの単位であるセグメントをすべて集めたセグメント集合の名前であって、当該ファイルのファイル名とセグメント集合名であることを示す文字列とを含むセグメント集合名の指定によりなされるセグメント集合に対してのアクセス要求を受付けるアクセス要求受付けステップと、
前記指定されたセグメント集合名に対応するセグメント集合の属するファイルを特定し、セグメントの前記ファイル記憶手段における格納位置を示す位置情報を記憶する位置情報記憶手段から当該ファイルに属するすべてのセグメントの位置情報をセグメント集合の位置情報として読み出す位置情報読み出しステップと、
前記読み出した位置情報に基づいて、前記ファイル記憶手段に記憶されているセグメント集合に対してアクセスをするセグメント集合アクセスステップと
を含むことを特徴とするコンピュータ読み取り可能な記録媒体。
【請求項１９】
ファイル名に対応させてファイルの格納位置を記憶管理し、ファイル名の指定でファイルに対するアクセスを行なうファイル管理プログラムが記録されたコンピュータ読み取り可能な記録媒体であって、前記プログラムは、
ファイル名と所望の条件の指定により、ファイル記憶手段内の指定ファイル名のファイルに含まれる論理的なまとまりのある単位であるセグメントのうち、指定条件を満たす１以上のセグメントの集まりであるセグメント部分集合に対してのアクセス要求を受付けるアクセス要求受付けステップと、
セグメントの前記ファイル記憶手段における格納位置を示す位置情報を記憶している位置情報記憶手段からファイル名で指定されるファイルに属し、かつ前記所望する条件を具備するすべてのセグメントの位置情報をセグメント部分集合の位置情報として読み出す位置情報読み出しステップと、
前記読み出した位置情報に基づいて、前記ファイル記憶手段に記憶されているセグメント部分集合に対してアクセスをするセグメント部分集合アクセスステップと
を含むことを特徴とするコンピュータ読み取り可能な記録媒体。